(57)【特許請求の範囲】
【請求項１】
被検体をＸ線でスキャンして得たスキャンデータに基づいて断層像を再構成するＸ線ＣＴ装置であって、
予め定められ表示された複数の撮影リージョン名称の中から選択することで、撮影リージョンを選択する第１の選択手段を有する第１のユーザーインターフェースと、
選択された撮影リージョンに属する撮影エリアとして予め定められ、前記撮影リージョンを選択することで表示された複数の撮影エリア名称の中から選択することで、撮影エリアを選択する第２の選択手段を有する第２のユーザーインターフェースであって、ユーザーによるカスタマイズが可能なユーザーインターフェースを含む第２のユーザーインターフェースと、
選択された撮影エリア用の撮影手法として予め定められ、前記撮影エリアを選択することで表示された複数の撮影プロトコル名称の中から選択することで、撮影プロトコルを選択する第３の選択手段を有する第３のユーザーインターフェースと、
選択された撮影プロトコルのための機能として予め定められ、前記撮影プロトコルを選択することで表示された複数のフィーチャー名称の中から選択することで、フィーチャーを選択する第４の選択手段を有する第４のユーザーインターフェースと、
を具備し、
前記複数のフィーチャーそれぞれに対し、列または行が撮影リージョンに対応し行または列が撮影エリアに対応するマトリクスからなるコンフィギュレーション・ファイルを有し、前記複数のフィーチャー名称の表示は、前記コンフィギュレーション・ファイルに基づいて行われる  
ことを特徴とするＸ線ＣＴ装置。
【請求項２】
撮影プロトコルの選択を可能にするユーザーインターフェースは、ユーザーによるカスタマイズが可能なユーザーインターフェースを含む、
ことを特徴とする請求項１に記載のＸ線ＣＴ装置。
【請求項３】
予め定められ表示された複数の撮影リージョン名称の中から選択することで、撮影リージョンを選択する第１の選択手段を有する第１のユーザーインターフェースと、
選択された撮影リージョンに属する撮影エリアとして予め定められ、前記撮影リージョンを選択することで表示された複数の撮影エリア名称の中から選択することで、撮影エリアを選択する第２の選択手段を有する第２のユーザーインターフェースと、
選択された撮影エリア用の撮影手法として予め定められ、前記撮影エリアを選択することで表示された複数の撮影プロトコル名称の中から選択することで、撮影プロトコルを選択する第３の選択手段を有する第３のユーザーインターフェースと、
選択された撮影プロトコルのための機能として予め定められ、前記撮影プロトコルを選択することで表示された複数のフィーチャー名称の中から選択することで、フィーチャーを選択する第４の選択手段を有する第４のユーザーインターフェースと、
を具備し、
前記複数のフィーチャーそれぞれに対し、列または行が撮影リージョンに対応し行または列が撮影エリアに対応するマトリクスからなるコンフィギュレーション・ファイルを有し、前記複数のフィーチャー名称の表示は、前記コンフィギュレーション・ファイルに基づいて行われることを特徴とする撮影計画支援装置。
【請求項４】
撮影プロトコルの選択を可能にするユーザーインターフェースは、ユーザーによるカスタマイズが可能なユーザーインターフェースを含む、
ことを特徴とする請求項３に記載の撮影計画支援装置。
【発明の詳細な説明】
【技術分野】
【０００１】
本発明は、撮影計画支援方法およびＸ線ＣＴ（ｃｏｍｐｕｔｅｄ  ｔｏｍｏｇｒａｐｈｙ）装置に関し、特に、ユーザーインターフェース（ｕｓｅｒ  ｉｎｔｅｒｆａｃｅ）を利用する撮影計画支援方法、および、撮影計画支援用のユーザーインターフェースを有するＸ線ＣＴ装置に関する。
【背景技術】
【０００２】
Ｘ線ＣＴ装置は、ガントリ（ｇａｎｔｒｙ）内で回転するＸ線照射・検出装置により被検体の複数ビュー（ｖｉｅｗ）の透過Ｘ線信号を収集し、透過Ｘ線信号に基づいて断層像を再構成するようになっている。Ｘ線照射・検出装置の回転はスキャン（ｓｃａｎ）とも呼ばれる。収集された透過Ｘ線信号はスキャンデータ（ｓｃａｎ  ｄａｔａ）とも呼ばれる。
【０００３】
Ｘ線ＣＴ装置はユーザーインターフェースを有する。ユーザーインターフェースはグラフィカル・ユーザーインターフェース（ｇｒａｐｈｉｃａｌ  ｕｓｅｒ  ｉｎｔｅｒｆａｃｅ）等で構成されており、それを通じてユーザーがインタラクティブ（ｉｎｔｅｒａｃｔｉｖｅ）にＸ線ＣＴ装置を操作できるようになっている。ユーザーインターフェースは、スキャン計画の作成にも用いられる（例えば、特許文献１参照）。
【特許文献１】特開２００２−８５３９５号公報（第５−６頁、図４−６）
【発明の開示】
【発明が解決しようとする課題】
【０００４】
スキャン計画の作成は、Ｘ線ＣＴ装置が予め記憶している複数の撮影プロトコル（ｐｒｏｔｏｃｏｌ）の中から、撮影部位に応じて最適なものを選択することによって行われる。撮影プロトコルの多様化に伴って、スキャン計画の作成のためのユーザーインターフェースの操作が複雑化している。このため、スキャン計画作成に時間がかかり、場合によってはユーザーを困惑させることにもなりかねない。
【０００５】
そこで、本発明の課題は、ユーザーインターフェースを利用して撮影計画を作成することが容易な撮影計画支援方法、および、撮影計画を作成することが容易なユーザーインターフェースを有するＸ線ＣＴ装置を実現することである。
【課題を解決するための手段】
【０００６】
上記の課題を解決するためのひとつの観点での発明は、撮影リージョンをユーザーインターフェースを通じて選択することを可能にし、選択された撮影リージョンに属する撮影エリアをユーザーインターフェースを通じて選択することを可能にし、選択された撮影エリア用の撮影プロトコルをユーザーインターフェースを通じて選択することを可能にし、選択された撮影プロトコルのフィーチャーをユーザーインターフェースを通じて選択することを可能にする、ことを特徴とする撮影計画支援方法である。
【０００７】
上記の課題を解決するための他の観点での発明は、被検体をＸ線でスキャンして得たスキャンデータに基づいて断層像を再構成するＸ線ＣＴ装置であって、撮影リージョンの選択を可能にするユーザーインターフェースと、選択された撮影リージョンに属する撮影エリアの選択を可能にするユーザーインターフェースと、選択された撮影エリア用の撮影プロトコルの選択を可能にするユーザーインターフェースと、選択された撮影プロトコルのフィーチャーの選択を可能にするユーザーインターフェースと、を具備することを特徴とするＸ線ＣＴ装置である。
【０００８】
撮影エリアの選択を可能にするユーザーインターフェースは、ユーザーによるカスタマイズが可能なユーザーインターフェースを含むことが、ユーザーごとに最適化する点で好ましい。
【０００９】
撮影プロトコルの選択を可能にするユーザーインターフェースは、ユーザーによるカスタマイズが可能なユーザーインターフェースを含むことが、ユーザーごとに最適化する点で好ましい。
【００１０】
前記フィーチャーは、コンフィギュレーション・ファイルを有することが、システムによる管理を容易にする点で好ましい。
前記コンフィギュレーション・ファイルは、列または行が撮影リージョンに対応し行または列が撮影エリアに対応するマトリクスであることが、コンフィギュレーション・ファイルの作成を容易にする点で好ましい。
【発明の効果】
【００１１】
上記各観点での発明によれば、撮影リージョンをユーザーインターフェースを通じて選択することを可能にし、選択された撮影リージョンに属する撮影エリアをユーザーインターフェースを通じて選択することを可能にし、選択された撮影エリア用の撮影プロトコルをユーザーインターフェースを通じて選択することを可能にし、選択された撮影プロトコルのフィーチャーをユーザーインターフェースを通じて選択することを可能にするので、ユーザーインターフェースを利用して撮影計画を作成することが容易な撮影計画支援方法、および、撮影計画を作成することが容易なユーザーインターフェースを有するＸ線ＣＴ装置を実現することができる。
【発明を実施するための最良の形態】
【００１２】
以下、図面を参照して発明を実施するための最良の形態を説明する。なお、本発明は、発明を実施するための最良の形態に限定されるものではない。図１にＸ線ＣＴ装置の模式的構成を示す。本装置は本発明を実施するための最良の形態の一例である。本装置の構成によって、Ｘ線ＣＴ装置に関する発明を実施するための最良の形態の一例が示される。本装置の動作によって、撮影計画支援方法に関する発明を実施するための最良の形態の一例が示される。
【００１３】
本装置は、ガントリ１００、テーブル（ｔａｂｌｅ）２００およびオペレータコンソール（ｏｐｅｒａｔｏｒ  ｃｏｎｓｏｌｅ）３００を有する。ガントリ１００は、テーブル２００によって搬入される被検体１０を、Ｘ線照射・検出装置１１０でスキャンして複数ビューの透過Ｘ線信号（スキャンデータ）を収集し、オペレータコンソール３００に入力する。オペレータコンソール３００は、ガントリ１００から入力されたスキャンデータに基づいて画像再構成を行い、再構成した画像をディスプレイ（ｄｉｓｐｌａｙ）３０２に表示する。
【００１４】
オペレータコンソール３００は、また、ユーザーによる本装置のインタラクティブな操作を可能にするためのユーザーインターフェースをディスプレイ３０２に表示する。ユーザーインターフェースには後述の撮影計画支援用のユーザーインターフェースが含まれる。なお、ユーザーインターフェース表示用のディスプレイは再構成画像表示用のディスプレイとは別にしてもよい。
【００１５】
オペレータコンソール３００は、また、ガントリ１００とテーブル２００の動作を制御する。オペレータコンソール３００による制御の下で、ガントリ１００は所定のスキャン条件でスキャンを行い、テーブル２００は所定の部位がスキャンされるように、被検体１０の位置決めを行う。位置決めは、内蔵する位置調節機構により、天板２０２の高さおよび天板上のクレードル（ｃｒａｄｌｅ）２０４の水平移動距離を調節することによって行われる。
【００１６】
クレードル２０４を停止させた状態でスキャンすることにより、アキシャルスキャン（ａｘｉａｌ  ｓｃａｎ）を行うことができる。クレードル２０４を連続的に移動させながら複数回のスキャンを連続的に行うことにより、ヘリカルスキャン（ｈｅｌｉｃａｌ  ｓｃａｎ）を行うことができる。クレードル２０４を間欠的に移動させながら停止位置ごとにスキャンすることによりクラスタスキャン（ｃｌｕｓｔｅｒ  ｓｃａｎ）を行うことができる。
【００１７】
天板２０２の高さ調節は、支柱２０６をベース（ｂａｓｅ）２０８への取付部を中心としてスイング（ｓｗｉｎｇ）させることによって行われる。支柱２０６のスイングによって、天板２０２は垂直方向および水平方向に変位する。クレードル２０４は天板２０２上で水平方向に移動して天板２０２の水平方向の変位を相殺する。スキャン条件によっては、ガントリ１００をチルト（ｔｉｌｔ）させた状態でスキャンが行われる。ガントリ１００のチルトは、内蔵のチルト機構によって行われる。
【００１８】
なお、テーブル２００は、図２に示すように、天板２０２がベース２０８に対して垂直に昇降する方式のものであってよい。天板２０２の昇降は内蔵の昇降機構によって行われる。このテーブル２００においては、昇降に伴う天板２０２の水平移動は生じない。
【００１９】
図３に、Ｘ線照射・検出装置１１０の構成を模式的に示す。Ｘ線照射・検出装置１１０は、Ｘ線管１３０の焦点１３２から放射されたＸ線１３４をＸ線検出器１５０で検出するようになっている。
【００２０】
Ｘ線１３４は、図示しないコリメータ（ｃｏｌｌｉｍａｔｏｒ）で成形されて左右対称なコーンビーム（ｃｏｎｅ  ｂｅａｍ）またはファンビーム（ｆａｎ  ｂｅａｍ）のＸ線となっている。Ｘ線検出器１５０は、Ｘ線の広がりに対応して２次元的に広がるＸ線入射面１５２を有する。Ｘ線入射面１５２は円筒の一部を構成するように湾曲している。円筒の中心軸は焦点１３２を通る。
【００２１】
Ｘ線照射・検出装置１１０は、撮影中心すなわちアイソセンタ（ｉｓｏｃｅｎｔｅｒ）Ｏを通る中心軸の周りを回転する。中心軸は、Ｘ線検出器１５０が形成する部分円筒の中心軸に平行である。
【００２２】
回転の中心軸の方向をｚ方向とし、アイソセンタＯと焦点１３２を結ぶ方向をｙ方向とし、ｚ方向およびｙ方向に垂直な方向をｘ方向とする。これらｘ，ｙ，ｚ軸はｚ軸を中心軸とする回転座標系の３軸となる。
【００２３】
図４に、Ｘ線検出器１５０のＸ線入射面１５２の平面図を模式的に示す。Ｘ線入射面１５２は検出セル（ｃｅｌｌ）１５４がｘ方向とｚ方向に２次元的に配置されたものとなっている。すなわち、Ｘ線入射面１５２は検出セル１５４の２次元アレイ（ａｒｒａｙ）となっている。なお、ファンビームＸ線を用いる場合は、Ｘ線入射面１５２は検出セル１５４の１次元アレイとしてよい。
【００２４】
個々の検出セル１５４はＸ線検出器１５０の検出チャンネル（ｃｈａｎｎｅｌ）を構成する。これによって、Ｘ線検出器１５０は多チャンネルＸ線検出器となる。検出セル１５４は、例えばシンチレータ（ｓｃｉｎｔｉｌｌａｔｏｒ）とフォトダイオード（ｐｈｏｔｏ  ｄｉｏｄｅ）の組合せによって構成される。
【００２５】
撮影計画作成について説明する。図５に、撮影計画作成から撮影実行までのユーザーのワークフロー（ｗｏｒｋｆｌｏｗ）を示す。図６、図７および図８に、撮影計画作成に用いられる画面の例を示す。これらの画面は、いずれも、ディスプレイ３０２に表示されるグラフィカル・ユーザーインターフェースである。
【００２６】
ステップ（ｓｔｅｐ）５０１で、エグザミネーション（ｅｘａｍｉｎａｔｉｏｎ）生成および患者情報入力が行われる。エグザミネーション生成および患者情報入力には、図６に示す画面が用いられる。この画面は、左半分がエグザミネーション（ｅｘａｍｉｎａｔｉｏｎ）生成および患者情報入力用のユーザーインターフェースとなっており、ここに、エグザミネーション・ナンバー（ｅｘａｍｉｎａｔｉｏｎ  ｎｕｍｂｅｒ）、患者ＩＤ、性別、年令等が入力される。
【００２７】
ステップ５０３で、撮影リージョン（ｒｅｇｉｏｎ）選択が行われる。撮影リージョン選択にも、図６に示す画面が用いられる。画面は、右半分が撮影リージョン選択用のユーザーインターフェースとなっている。
【００２８】
撮影リージョン選択用のユーザーインターフェースは、人体の全身図と複数の部位名称ボックス（ｂｏｘ）の組合せで構成される。部位名称ボックスは、上から順に、頭（Ｈｅａｄ）、眼窩（Ｏｒｂｉｔ）、Ｃスパイン（Ｃ  ｓｐｉｎｅ）、胸（Ｃｈｅｓｔ）、腹（Ａｂｄｏｍｅｎ）、腰椎（Ｌｕｍｂｅｒ）、骨盤（Ｐｅｌｖｉｃ）、下肢（Ｌｏｗｅｒ  Ｅｘｔｒｅｍｉｔｙ）および一般（Ｇｅｎｅｒａｌ）である。
【００２９】
撮影リージョン選択は、所望の部位名称ボックスをポインティングデバイス（ｐｏｉｎｔｉｎｇ  ｄｅｖｉｃｅ）でクリック（ｃｌｉｃｋ）すること等によって行われる。例えば、部位名称ボックス「Ｃｈｅｓｔ」をクリックしたとすると、胸が撮影リージョンとして選択される。
【００３０】
胸が選択されたとき、画面は図７に示すようなものに変わる。この画面は、右半分が撮影エリア選択用のユーザーインターフェースとなっている。撮影エリア選択用のユーザーインターフェースは、複数の画像フレーム（ｆｒａｍｅ）の配列によって構成される。複数の画像フレームは、同一の撮影リージョンに属する複数の撮影エリアをそれぞれ表す。
【００３１】
複数の撮影エリアは、例えば、上から順に、心臓（Ｃａｒｄｉａｃ）、呼吸器（Ｐａｌｍｏｎｅｒｙ）および胸部一般（Ｃｈｅｓｔ  Ｇｅｎｅｒａｌ）である。これらはいずれも胸部に属する撮影エリアないし臓器である。なお、胸以外の撮影リージョンが選択されたときは、その撮影リージョンに属する複数の撮影エリアないし臓器が同様にして表示される。本書では、撮影エリアとは、撮影リージョン内の撮影エリアないし臓器を意味する。
【００３２】
撮影エリアを表す画像フレームの配列は２系列あり、互いに重なり合っている。それらはそれぞれタブ（ｔａｂ）を有し、クリックによって表側とすることができる。２系列の一方は「ＧＥ」であり、他方は「Ｕｓｅｒ」である。「ＧＥ」は、メーカー（ｍａｋｅｒ）から提供される撮影エリアの取り合わせである。「Ｕｓｅｒ」は、ユーザーが任意に構成した撮影エリアの取り合わせである。
【００３３】
図７では、「Ｕｓｅｒ」系列が表側となっている。「Ｕｓｅｒ」系列における撮影エリアの取り合わせは、ユーザーが任意に構成することができるので、ユーザーは自己のニーズ（ｎｅｅｄｓ）に最適なようにカスタマイズ（ｃｕｓｔｏｍｉｚｅ）することができる。
【００３４】
このようなユーザーインターフェースを用いて、ステップ５０５で、撮影エリア選択が行われる。撮影エリア選択は、所望の撮影エリアをポインティングデバイスでクリックすること等によって行われる。例えば、撮影エリア「Ｃａｒｄｉａｃ」をクリックしたとすると、心臓が撮影エリアとして選択される。
【００３５】
心臓が選択されたとき、画像フレーム右側の複数のボックスに、複数の撮影プロトコルの名称がそれぞれ表示される。撮影プロトコル名を表示するボックスは、撮影プロトコル選択用のユーザーインターフェースを構成する。
【００３６】
複数の撮影プロトコルは、例えば、上から順に、ＥＣＧトレース（ＥＣＧ  Ｔｒａｃｅ）、カーディアック・ゲーティング（Ｃａｒｄｉａｃ  Ｇａｔｉｎｇ）およびダイレクト３Ｄイネーブル（Ｄｉｒｅｃｔ  ３Ｄ  Ｅｎａｂｌｅ）である。これらはいずれも心臓用の撮影プロトコルである。なお、心臓以外の撮影エリアが選択されたときは、その撮影エリア用の複数の撮影プロトコルが同様にして表示される。
【００３７】
「Ｕｓｅｒ」系列の撮影エリアについては、撮影プロトコルの取り合わせをユーザーが任意に選ぶことができる。これによって、撮影プロトコルをユーザーのニーズに合わせてカスタマイズすることができる。
【００３８】
このようなユーザーインターフェースを用いて、ステップ５０７で、撮影プロトコル選択が行われる。撮影プロトコル選択は、所望の撮影プロトコル名をポインティングデバイスでクリックすること等によって行われる。例えば、撮影プロトコル「ＥＣＧ  Ｔｒａｃｅ」をクリックしたとすると、ＥＣＧトレースが撮影プロトコルとして選択される。
【００３９】
ＥＣＧトレースが選択されたとき、画面は図８に示すようなものに変わる。この画面は、右上にフィーチャー名称ボックスを有する。フィーチャー名称ボックスに表示されるフィーチャー名称は、例えば、上から順に、ＥＣＧトレース、カーディアック・イメージフィルタ（Ｃａｒｄｉａｃ  Ｉｍａｇｅ  Ｆｉｌｔｅｒ）、スマートスコア（Ｓｍａｒｔ  Ｓｃｏｒｅ）およびノイズリダクション（Ｎｏｉｓｅ  Ｒｅｄｕｃｔｉｏｎ）である。これらはいずれも、ＥＣＧトレースのフィーチャーである。なお、ＥＣＧトレース以外の撮影プロトコルが選択されたときは、その撮影プロトコルの複数のフィーチャーが同様にして表示される。
【００４０】
画面の残りの部分は、フィーチャー名称ボックスの左がＥＣＧ（Ｅｌｅｃｔｒｏ  Ｃａｒｄｉｏｇｒａｍ）の表示部、画面の下半分がＸ線ＣＴ装置操作用のユーザーインターフェースとなっている。
【００４１】
このようなユーザーインターフェースを用いて、ステップ５０９で、フィーチャー選択が行われる。フィーチャー選択は、所望のフィーチャー名のチェックボックス（ｃｈｅｃｋ  ｂｏｘ）をポインティングデバイスでクリックすること等によって行われる。例えば、フィーチャー「ＥＣＧ  Ｔｒａｃｅ」のチェックボックスをクリックしたとすると、ＥＣＧトレースがフィーチャーとして選択される。このフィーチャーは撮影プロトコルの本体をなすフィーチャーである。その他の、カーディアック・イメージフィルタ、スマートスコア、ノイズリダクション等は補助的なフィーチャーであって必要に応じて選択される。
【００４２】
その後、ステップ５１１で、撮影が実行される。撮影実行には、画面の下半分の操作用ユーザーインターフェースが用いられる。このユーザーインターフェースを通じて、先ず、スキャンタイプ（Ｓｃａｎ  Ｔｙｐｅ）、スタートロケーション（Ｓｔａｒｔ  Ｌｏｃａｔｉｏｎ）、エンドロケーション（Ｅｎｄ  Ｌｏｃａｔｉｏｎ）、撮影枚数（Ｎｏ．  ｏｆ  Ｉｍａｇｅｓ）、撮影速度（Ｔｈｉｃｋ  Ｓｐｅｅｄ）、撮影間隔（Ｉｎｔｅｒｖａｌ）、スキャンＦＯＶ（ＳＦＯＶ）、管電圧（ｋＶ）、管電流（ｍＡ）等の撮影条件が設定され、次いでオートスキャン（Ａｕｔｏ  Ｓｃａｎ）が起動される。
【００４３】
このように、撮影計画の作成は、エグザミネーション生成および患者情報入力の後は、撮影リージョン選択、撮影エリア選択、撮影プロトコル選択、フィーチャー選択の順で行われる。それらの選択は、それぞれ専用のユーザーインターフェースを用いて行われる。
【００４４】
撮影リージョン選択用のユーザーインターフェースは、人体の全身図に関連づけた部位名称ボックスを有するので、撮影リージョンの選択が容易である。撮影エリア選択用のユーザーインターフェースは、同一の撮影リージョンに属する複数の撮影エリアをそれぞれ表す複数の画像フレームの配列を有するので、撮影エリアの選択が容易である。
【００４５】
特に、撮影エリアは同一の撮影リージョンに属するものだけが表示され、他の撮影リージョンに属するものは表示されないので、選択に時間がかからず、ユーザーを困惑させることはない。また、撮影エリアがカスタマイズ可能なので利便性が高い。
【００４６】
撮影プロトコル選択用のユーザーインターフェースは、同一の撮影エリア用の複数の撮影プロトコルをそれぞれ表す複数の名称ボックスを有するので、撮影プロトコルの選択が容易である。
【００４７】
特に、撮影プロトコルは同一の撮影エリアに関するものだけが表示され、他の撮影エリアに関するものは表示されないので、選択に時間がかからず、ユーザーを困惑させることはない。また、撮影プロトコルがカスタマイズ可能なので利便性が高い。
【００４８】
フィーチャー選択用のユーザーインターフェースは、同一の撮影プロトコルの複数のフィーチャー名とそれらに対応するチェックボックスを有するので、フィーチャーの選択が容易である。特に、フィーチャーは同一の撮影プロトコルのものだけが表示され、他の撮影プロトコルのものは表示されないので、選択に時間がかからず、ユーザーを困惑させることはない。
【００４９】
各フィーチャーはそれぞれコンフィギュレーション・ファイル（ｃｏｎｆｉｇｕｒａｔｉｏｎ  ｆｉｌｅ）を有する。図９に、コンフィギュレーション・ファイルの構成の一例を示す。図９に示すように、コンフィギュレーション・ファイルはマトリクス（ｍａｔｒｉｘ）構成となっている。
【００５０】
マトリクスの列は、撮影リージョンに対応する。すなわち、例えば、Ｖ０ｘは頭に対応し、Ｖ１ｘは眼窩に対応し、Ｖ２ｘはＣスパインに対応し、Ｖ３ｘは肩に対応し、Ｖ４ｘは胸に対応し、Ｖ５ｘは腹に対応し、Ｖ６ｘは腰椎に対応し、Ｖ７ｘは骨盤に対応し、Ｖ８ｘは下肢に対応し、Ｖ９ｘは一般に対応する。なお、ｘは０−４である。
【００５１】
マトリクスの行は、撮影エリアに対応する。すなわち、Ｖｙ０は第１のエリアに対応し、Ｖｙ１は第２のエリアに対応し、Ｖｙ２は第３のエリアに対応し、Ｖｙ３は第４のエリアに対応し、Ｖｙ４は第５のエリアに対応する。なお、ｙは０−９である。
【００５２】
コンフィギュレーション・ファイルは、撮影リージョンを行に対応させ、撮影エリアを列に対応させたものとしてもよい。その場合は、行数を撮影リージョン数に合わせ、列数を撮影エリア数に合わせる。
【００５３】
コンフィギュレーション・ファイルでは、フィーチャーが関係する撮影リージョンと撮影エリアがフラグ（ｆｌａｇ）で示される。そのような表示の一例を図１０に示す。図１０は、フィーチャー「ＥＣＧ  Ｔｒａｃｅ」のコンフィギュレーション・ファイルである。
【００５４】
このコンフィギュレーション・ファイルでは、Ｖ４０，Ｖ４１，Ｖ４２，Ｖ４３にフラグ「Ｔ」が立っている。これによって、このフィーチャーが関係するのは、撮影リージョンが胸であって、撮影エリアはそのうちの第１，２，３，４エリアであることが示される。なお、フラグ「Ｆ」は無関係を意味する。
【００５５】
このようなコンフィギュレーション・ファイルがフィーチャーごとに設けられ、オペレータコンソール３００のメモリ（ｍｅｍｏｒｙ）に記憶されている。図８に示したユーザーインターフェースにおけるフィーチャーの表示は、このようなコンフィギュレーション・ファイルに基づいて行われる。このため、システム（ｓｙｓｔｅｍ）によるフィーチャー管理が容易になる。また、コンフィギュレーション・ファイルは、列または行が撮影リージョンに対応し行または列が撮影エリアに対応するマトリクスであるので、コンフィギュレーション・ファイルの作成は容易である。
【図面の簡単な説明】
【００５６】
【図１】本発明を実施するための最良の形態の一例のＸ線ＣＴ装置の構成を示す図である。
【図２】本発明を実施するための最良の形態の一例のＸ線ＣＴ装置の構成を示す図である。
【図３】Ｘ線照射・検出装置の構成を示す図である。
【図４】Ｘ線検出器のＸ線入射面の構成を示す図である。
【図５】撮影計画作成のワークフローを示す図である。
【図６】ディスプレイに表示されたユーザーインターフェースを中間調の写真で示す図である。
【図７】ディスプレイに表示されたユーザーインターフェースを中間調の写真で示す図である。
【図８】ディスプレイに表示されたユーザーインターフェースを中間調の写真で示す図である。
【図９】フィーチャーのコンフィギュレーション・ファイルを示す図である。
【図１０】フィーチャーのコンフィギュレーション・ファイルを示す図である。
【符号の説明】
【００５７】
１０ ： 被検体
１００ ： ガントリ
１１０ ： Ｘ線照射・検出装置
１３０ ： Ｘ線管
１３２ ： 焦点
１３４ ： Ｘ線
１５０ ： Ｘ線検出器
１５２ ： Ｘ線入射面
１５４ ： 検出セル
２００ ： テーブル
２０２ ： 天板
２０４ ： クレードル
２０６ ： 支柱
２０８ ： ベース
３００ ： オペレータコンソール
３０２ ： ディスプレイ
【図１】
0005274757.tif 000002
【図２】
0005274757.tif 000003
【図３】
0005274757.tif 000004
【図４】
0005274757.tif 000005
【図５】
0005274757.tif 000006
【図９】
0005274757.tif 000007
【図１０】
0005274757.tif 000008
【図６】
0005274757.tif 000009
【図７】
0005274757.tif 000010
【図８】
0005274757.tif 000011